(57)【要約】【課題】電柱の新設、移設、撤去等の工事において電柱根本部周りの掘削路面の長方形状に対応させ易くて、敷設作業が容易であり、しかもその形状の変更や電柱位置の変更にも容易に対応できる仮復旧用ゴムマットを提供する。【解決手段】複数に分割形成され、電柱が嵌合する切欠部１１ａ，１２ａを有し、電柱を囲んで長方形状に敷設される基部用マット１と、基部用マット１に隣接して敷設される大小２種以上の矩形の周辺用マット３，４とにより、電柱根本部周りの前記掘削路面の形状に対応した平面長方形状に敷設できる組み合わせにする。【選択図】        図４
2006057406.tif 000002
【特許請求の範囲】
【請求項１】
電柱根本部周りの掘削路面の仮復旧のために敷設される仮復旧用ゴムマットであって、  電柱根本部を囲んで長方形状に敷設できるように複数に分割形成された基部用マットと、該基部用マットに隣接して敷設される矩形の周辺用マットとを有し、電柱根本部周りの前記掘削路面の形状に対応した平面長方形状に敷設できる組み合わせからなることを特徴とする仮復旧用ゴムマット。
【請求項２】
電柱根本部周りの掘削路面の仮復旧のために敷設される仮復旧用ゴムマットであって、  電柱挿通部の軸心を通る線上で複数に分割形成されて、外縁の一部に電柱が嵌合する切欠部を有し、電柱を囲んで長方形状に敷設される基部用マットと、該基部用マットに隣接して敷設される大小２種以上の矩形の周辺用マットとを有し、電柱根本部周りの前記掘削路面の形状に対応した平面長方形状に敷設できる組み合わせからなることを特徴とする仮復旧用ゴムマット。
【請求項３】
前記基部用マットが、電柱挿通部の軸心を通る縦横の線上で四つに分割形成され、対称形の２枚ずつがそれぞれ対をなす請求項２に記載の仮復旧用ゴムマット。
【請求項４】
前記基部用マットの敷設状態における縦横の寸法比が５：６の長方形状をなし、前記周辺用マットが各々複数枚の大小２種のマットよりなり、大きいマットの縦横の寸法比が３：４．５、小さいマットの縦横の寸法比が１：３の矩形をなし、これらの大小のマットが前記基部用マットの外側辺に接して配置されることにより、全体として平面長方形状をなすように敷設される請求項１〜３のいずれか１項に記載の仮復旧用ゴムマット。
【請求項５】
前記周辺用マットとして、前記の大小の２種のマットの他に、縦横の寸法比が１：５の補助マットを有してなる請求項４に記載の仮復旧用ゴムマット。
【請求項６】
前記基部用マット及び前記周辺用マット等の各マットは、掘削路面のアスファルト層と略同じ厚みで、その表面には凹凸による滑り止め手段が設けられてなる請求項１〜５のいずれか１項に記載の仮復旧用ゴムマット。
【請求項７】
前記基部用マット及び前記周辺用マット等の各マットには、マット固定治具による固定用の座刳り穴が設けられてなる請求項６に記載の仮復旧用ゴムマット。
【発明の詳細な説明】
【技術分野】
【０００１】
本発明は、主に配電線工事における電柱の新設、移設、撤去等の工事において電柱根本部周りの掘削路面の仮復旧に使用する仮復旧用ゴムマットに関するものである。
【背景技術】
【０００２】
従来より、例えばアスファルト等による舗装路面において、電柱の新設、移設、撤去等の工事で、該電柱周りのアスファルト等の路面を掘削した場合は、その作業後に、一旦アスファルト混合物により仮復旧を行なって、地盤が固まるのを待ち、後日（例えば１週間後に）、前記の仮復旧材（アスファルト混合物）を剥がして、本来の舗装資材であるアスファルト混合物の敷設、加熱処理による本復旧を実施している。
【０００３】
しかしながら、仮復旧材としてアスファルト混合物を用いた場合は、本復旧の再に該仮復旧材の再掘削を要する上に、再掘削された仮復旧材が産業廃棄物となり、これを有料処理する必要がある。また、前記アスファルト混合物による仮復旧材による場合、酷暑期に自動車や自転車等がその上部を通過した時に、該仮復旧材の上面に凹みが発生する場合もある。
【０００４】
そこで、掘削下路面の仮復旧材として、下記の特許文献１、２のように、電柱根本部周りに敷設できる繰り返し使用が可能なゴムマットが提案されている。
【０００５】
この特許文献１及び２の場合、１枚のゴムマットの電柱挿通用の孔部の周囲１個所に切り込みを入れ、仮復旧作業の際に、前記該切り込みを開いて電柱挿通用の孔部に電柱に嵌合するようにして、電柱の周りに敷設するものであり、前記切り込みを開いて電柱に嵌合する操作が必要になり、敷設作業が面倒なものである。しかも、１枚のゴムマットで電柱根本部を囲むので、その外形形状が一定のものにしか使用できず、掘削路面の範囲や形状さらには電柱の位置等が限定され、掘削路面の形状や電柱位置の変更等には対応できないものである。そのため、掘削路面の形状や電柱位置に応じたゴムマットを必要とする。
【０００６】
また、下記の特許文献３のように、ガス管等の埋設工事において、掘削した路面の仮復旧に、仮路盤材（模擬路盤材）と、その上面及び周辺を覆う簡易覆工マットとを用いる工法も提案されているが、仮路盤材と簡易覆工マットとを必要とすることもあって、電柱根本部周りの掘削路面の仮復旧用には適さないものである。
【特許文献１】実開昭６０−１５９００４号公報
【特許文献２】実公昭６２−５０４２号公報
【特許文献３】特開２００４−５２４１０号公報
【発明の開示】
【発明が解決しようとする課題】
【０００７】
本発明は、上記に鑑みてなしたもので、主に配電線工事における電柱の新設、移設、撤去等の工事において電柱根本部周りの掘削路面の仮復旧に使用する仮復旧用ゴムマットとして、掘削路面の長方形状に対応させ易くて、敷設作業が容易であり、しかもその形状の変更や電柱位置の変更にも容易に対応できるゴムマットを提供するものである。
【課題を解決するための手段】
【０００８】
上記の課題を解決する本発明は、電柱根本部周りの掘削路面の仮復旧のために敷設される仮復旧用ゴムマットであって、電柱根本部を囲んで長方形状に敷設できるように複数に分割形成された基部用マットと、該基部用マットに隣接して敷設される矩形の周辺用マットとを有し、電柱根本部周りの前記掘削路面の形状に対応した平面長方形状に敷設できる組み合わせからなることを特徴とする。
【０００９】
これにより、配電線工事において掘削された電柱根本部周りの掘削路面の仮復旧作業において、複数に分割形成された基部用マットを電柱根本部の周りを囲むように置き、その外側の辺に沿って矩形の周辺用マットを並べて配置することにより、掘削路面に応じた平面長方形状に容易に敷設できる。
【００１０】
特には、前記の仮復旧用ゴムマットとして、電柱挿通部の軸心を通る線上で複数に分割形成されて、外縁の一部に電柱が嵌合する切欠部を有し、電柱を囲んで長方形状に敷設される基部用マットと、該基部用マットに隣接して敷設される大小２種以上の矩形の周辺用マットとを有し、電柱根本部周りの前記掘削路面の形状に対応した平面長方形状に敷設できる組み合わせからなるものとする。
【００１１】
これにより、前記切欠部を電柱に嵌合させるようにして該基部用マットを電柱根本部の周りに置くだけで、該電柱根本部を囲むように敷設でき、しかもその外側の辺に沿って大小２種以上の矩形の周辺用マットを適宜選択して並べて配置することにより、掘削路面に応じた種々の形状の平面長方形状に敷設することができる。
【００１２】
前記の仮復旧用ゴムマットにおいて、前記基部用マットが、電柱挿通部の軸心を通る縦横の線上で四つに分割形成され、対称形の２枚ずつがそれぞれ対をなすものとすることができる。
【００１３】
前記の仮復旧用ゴムマットにおいて、前記基部用マットの敷設状態における縦横の寸法比が５：６の長方形状をなし、前記周辺用マットが各々複数枚の大小２種のマットよりなり、大きいマットの縦横の寸法比が３：４．５、小さいマットの縦横の寸法比が１：３の矩形をなし、これらの大小のマットが前記基部用マットの外側辺に接して配置されることにより、全体として平面長方形状をなすように敷設されるものとすることができる。これにより、各マットの並び方や組み合わせを変更することにより種々の長方形状に敷設でき、掘削路面の形状及び電柱位置の変更にも容易に対応できるものとなる。
【００１４】
前記周辺用マットとして、前記の大小の２種のマットの他に、縦横の寸法比が１：５の補助マットを有してなるものとすることもできる。これにより、掘削路面の長方形状の変更がさらに可能になる。
【００１５】
前記基部用マット及び前記周辺用マット等の各マットは、掘削路面のアスファルト層と略同じ厚みで、その表面には凹凸による滑り止め手段が設けられてなるものが好ましい。  前記基部用マット及び前記周辺用マット等の各マットには、マット固定治具による固定用の座刳り穴が設けられてなるものが好ましく、該座刳り穴の部分においてアンカー等のマット固定治具を打ち込むことにより、該ゴムマットを安定性よく敷設しておくことができる。
【発明の効果】
【００１６】
上記したように本発明の仮復旧用ゴムマットによれば、繰り返し使用が可能であり、従来のアスファルト混合物等を使用する場合のような産業廃棄物が生じない。また、酷暑時に自動車や自転車が上部を通過しても凹み等が発生することがない。そればかりか、特に電柱根本部を囲んで敷設される複数の基部用マットと、該基部用マットに隣接して敷設される矩形の周辺用マットとの組み合わせにより、掘削路面の長方形状に対応させ易くて、敷設作業を容易に行える。
【００１７】
特に、外縁の一部に電柱が嵌合する切欠部を有し、電柱を囲んで長方形状に敷設される基部用マットと、大小２種以上の矩形の周辺用マットとを組み合わせて、その縦横の寸法を適宜設定することにより、掘削路面の形状の変更や電柱位置の変更にも容易に対応できる。
【発明を実施するための最良の形態】
【００１８】
次に本発明の実施の形態を図面に示す実施例に基づいて説明する。
【００１９】
図１は本発明の仮復旧用ゴムマットＡの１実施例を示す平面図、図２は同上のマットの一部を欠截した正面図、図３は一つのマットの拡大断面図、図４は電柱の根本部周りに敷設した状態の略示斜視図である。
【００２０】
本発明の仮復旧用ゴムマットＡは、図のように電柱根本部周りの掘削路面の仮復旧のために敷設されるものであって、それぞれゴム材により加硫成形された複数のマットを組み合わせてなる。具体的には、電柱根本部を囲んで長方形状に敷設できるように複数に分割形成された基部用マット１と、該基部用マット１の周りに隣接して敷設される大小２種以上の周辺用マット、例えば図のように大小２種のマット３，４とを有し、前記掘削路面の形状に略対応した平面長方形状に敷設できるように組み合わせ構成されてなる。さらに必要に応じて、前記周辺用マットとして、前記の大小２種のマット３，４のほかに、予備的に１もしくは複数の補助マット５を組み合わせておくこともできる。
【００２１】
図示する実施例の場合、前記基部用マット１は、電柱挿通部の軸心を通る縦横の線上で４つに分割形成され、左右対称形の２枚ずつがそれぞれ対をなす第１のマット１１，１１と第２のマット１２，１２よりなり、それぞれ矩形の外縁の一部に電柱Ｐが嵌合する円弧状に凹入した切欠部１１ａ，１１ａ及び１２ａ，１２ａを有し、該切欠部１１ａ，１１ａ及び１２ａ，１２ａに電柱Ｐの外周を嵌合した状態で長方形状に敷設できるように形成されている。図の場合、敷設状態における縦横の寸法比が５：６の長方形状をなしている。
【００２２】
前記基部用マット１の分割形状については、前記第１のマット１１，１１及び第２のマット１２，１２の切欠部１１ａ，１１ａ及び１２ａ，１２ａによる電柱挿通部２０を、第２のマット１２，１２による外縁に内接する位置に設定するものには限らず、電柱Ｐを囲んで長方形状に敷設できる種々の分割形状による実施が可能である。
【００２３】
例えば、図５のように、第１のマット１１，１１と第２のマット１２，１２を対称形に形成して、長方形状の敷設状態における中央位置に前記電柱挿通部２０を設定するように分割形成したり、また図６のように左右それぞれの前記第１のマットと第２のマットとを一体に形成して、左右２つの分割マット１４，１４とする等、種々の分割形状にできる。さらに図７のような分割形状にすることもできる。
【００２４】
また、図示する実施例の場合、大小２種の周辺用のマット３，４については、敷設状態での縦横の寸法比が５：６の長方形状をなす前記基部用マット１に対して、それぞれ同縮尺の比において、例えば大きいマット３は縦横の寸法比が３：４．５の矩形をなし、また小さいマット４の縦横の寸法比が１：３の矩形をなしており、これらの大きいマット３を４枚と、小さいマット４を２枚を組み合わせて、図１のように前記基部用マット１の外側辺に接して配置することにより、全体として縦横の寸法比が６：１５（例えば６０ｃｍ：１５０ｃｍ）の平面長方形状に敷設できるように設定されている。
【００２５】
前記のような寸法比であると、基部用マット１に対する大小の周辺用マット３，４の使用数や配置を適宜選択することにより、例えば、図８に例示するように、敷設形状や電柱挿通部２０の位置を変更することが可能になる。
【００２６】
さらに、図のように、縦横の寸法比が１：５の補助マット５を備えている場合、該補助マット５を基部用マット１と組み合わせて使用することにより、例えば図９のような敷設状態にすることができる。また、前記の補助マット５については、２枚を一組にして電柱を支持する支線部付近の掘削路面に敷設使用することもできる。
【００２７】
なお、上記の基部用マット１及び大小の周辺用マット３，４や補助マット５の寸法比については、上記に限定されるものではなく、掘削路面の形状や大きさ等に応じて、種々変更して実施することができ、さらに大きさについても、図示するものには限らず、種々の実施が可能である。
【００２８】
特に、電柱Ｐの地盤への埋設部位には、ネカ（根架）と称する側方への張り出し部材を有する場合と、有さない場合があり、このネカの有無によっても、電柱の新設や移設作業において必要とされる掘削路面の面積や形状が異なるので、これに応じて、各マットの大きさや形状を設定しておくものとする。
【００２９】
前記の基部用マット１における第１のマット１１や第２のマット１２、及び前記周辺用の大小のマット３，４や補助マット５等の各マットは、それぞれ、例えばカーボンブラックで補強されたジエン系ゴムで、ゴム硬度がＨＳ−Ａ５０〜７０（ＪＩＳ  Ｋ６２３５の測定法による）の比較的硬質のゴム材を加硫成形することにより得られる。このマットの厚みＴは掘削路面のアスファルト層９と略同じ厚みにして、その表面に凹凸による滑り止め手段６を設けておくのが好ましい。この滑り止め手段６としては、図のように、多数の凸部６ａを千鳥状に配設するほか、筋条の凸部や溝を所要間隔に多数形成する等、その凹凸形状や配置は任意に設定できる。
【００３０】
また、前記の凸部６ａ等の滑り止め手段６ヲマットの非要理両面荷設けておくことも可能であり、この場合、マットを両面使用できることになる。
【００３１】
図中の符号７は、前記基部用の第１のマット１１や第２のマット１２及び前記周辺用の大小のマット３，４や補助マット５等の各マットに形成した敷設時の固定用の座刳り穴であり、図１０及び図１１のように、下面側に座部７ａを有してなり、該座刳り穴７の部分を通してアンカーボルト等の脱着可能なマット固定治具８を地盤Ｅに打ち込んで固定することにより、各マットを安定性よく敷設しておけるようになっている。
【００３２】
前記のマット固定具８としては、種々のアンカーボルトを利用できるが、使用時において特殊な工具を用いる必要がないように、既存の工具により打ち込みかつ抜き取り可能なものを用いる。図１０のマット固定具８は、先端が鋭利な傾斜した角度を有し、前記座刳り穴７を通して打ち込み可能な鋼管等の管体８１と、該管体８１に内挿されて先端が拡開することにより該管体８１に係合するアンカーボルト８２とよりなり、前記座刳り穴７内において、前記アンカーボルト８２の頭部ねじ部に対しワッシャ８３を介してナット８４が螺合されることにより、マットを敷設状態に保持できるようになっている。そして、前記マットを取り除く際には、図１１のように、前記ナット８４に代えて、アイナット８５をアンカーボルト８２に螺合することにより、容易に抜き取ることができるようになっている。もちろん、前記以外の種々の固定具を用いることができる。
【００３３】
上記の構成による仮復旧用ゴムマットＡは、配電線工事において電柱根本部周りのアスファルト層等の路面を掘削した場合に、該掘削路面を仮復旧する際に、基部用マット１や周辺用の各マットを該掘削路面の形状に対応した平面長方形状に敷設して使用する。
【００３４】
この際、複数に分割形成された基部用マット１については、第１及び第２の各マット１１，１２の各切欠部１１ａ，１２ａを電柱Ｐに嵌合させるようにして電柱根本部の周りに置くだけで、該電柱根本部を囲んで長方形状に敷設できる。また、周辺用の大小のマット３，４については、前記基部用マット１の外側の辺に沿って矩形の周辺用の大小のマット３，４等を並べて配置することにより、例えば図１や図８のように、掘削路面に応じた平面長方形状に容易に敷設できる。
【００３５】
なお、実際の仮復旧工事においては、電柱根本部周りにおける路面を掘削する際、前記仮復旧用ゴムマットＡの各マットの組み合わせによる長方形の形状や寸法に合わせて、平面長方形状に掘削しておけばよく、これにより、掘削路面に対し前記仮復旧用ゴムマットＡを隙間を生じさせずに敷設することができる。特に、基部用マット１を構成する複数のマット１１，１２、及び周辺用の大小のマット３，４や補助マット５の組み合わせにより、その長方形状や電柱挿通部２０の位置を種々変更し設定できる。
【００３６】
そして、前記のように敷設した状態においては、図１０のように各マットに有する座刳り穴７を通してマット固定具８を打ち込んで固定し、ずれや浮き上がりを生じさせないようにして敷設状態を安定性よく保持する。必要により、各マット同士の隙間、あるいはマットとアスファルト層との隙間には、砂やアスファルト等の舗装資材を詰めて、歩行者の安全性を確保するのがよい。
【００３７】
この使用状態においては、各マットの表面においては滑り止め手段６により、安全に歩行できる上、自転車や自動車のスリップ、特にブレーキ時のスリップを防止できる。また加硫成形された比較的硬質のゴムマットよりなるため、酷暑時において自動車や自転車がその上部を通過しても凹み等が生じることがなく、充分な耐久性を保持できる。
【００３８】
本復旧に際して、前記の仮復旧用ゴムマットＡを取り除く場合は、前記マット固定具８を抜き取りさえすれば、容易に取り除くことができる。こうして取り除いた仮復旧用ゴムマットＡは、別の掘削路面の仮復旧に繰り返し利用でき、従来のように産業廃棄物が発生することがなく、従来のアスファルト混合物を使用する場合に比して、仮復旧の工事費用を低減できる。
【産業上の利用可能性】
【００３９】
本発明の仮復旧用ゴムマットは、主に配電線工事における電柱の新設、移設、撤去等の工事において電柱根本部周りの掘削路面の仮復旧に好適に使用することができ、さらに他の掘削路面の仮復旧用にも利用できる。
【図面の簡単な説明】
【００４０】
【図１】本発明の仮復旧用ゴムマットの１実施例を示す敷設状態の平面図である。
【図２】同上のマットの一部を欠截した正面図である。
【図３】一つのマットの拡大断面図である。
【図４】電柱の根本部周りに敷設した状態の略示斜視図である。
【図５】基部用マットの他の例を示す略示平面図である。
【図６】基部用マットのさらに他の例を示す略示平面図である。
【図７】基部用マットのさらに他の例を示す略示平面図である。
【図８】本発明の仮復旧用マットの敷設形状の変更例を示す平面図である。
【図９】他の敷設形状を例示する平面図である。
【図１０】マット固定具による固定状態を示す断面図である。
【図１１】マット固定具の抜き取り前の断面図である。
【符号の説明】
【００４１】
Ａ    仮復旧用ゴムマット
１    基部用マット
３，４  周辺用の大小２種のマット
５    補助マット
６    滑り止め手段
６ａ  凸部
７    座刳り穴
７ａ  座部
８    マット固定治具
１１  第１のマット
１２  第２のマット
１３  分割マット
１４  第３のマット
１５  第４のマット
１１ａ，１２ａ，１３ａ，１４ａ，１５ａ  切欠部
２０  電柱挿通部
８１  管体
８２  アンカーボルト
８３  ワッシヤ
８４  ナット
８５  アイナット
Ｅ    地盤
Ｐ    電柱
【図１】
2006057406.tif 000003
【図２】
2006057406.tif 000004
【図３】
2006057406.tif 000005
【図４】
2006057406.tif 000006
【図５】
2006057406.tif 000007
【図６】
2006057406.tif 000008
【図７】
2006057406.tif 000009
【図８】
2006057406.tif 000010
【図９】
2006057406.tif 000011
【図１０】
2006057406.tif 000012
【図１１】
2006057406.tif 000013